(57)【要約】【課題】  本発明は、血液または血漿検体の内因性トロンビン活性を自動的に測定する方法に関する。【解決手段】  ａ）総反応速度の飽和相の直線領域を、所定の試験特有の時間枠の範囲内で測定し、そして、次に、  ｂ）トロンビンのα2−マクログロブリンに対する結合定数Ｃを、飽和相の直線領域における総反応速度の勾配Ａを用いて反復測定し、ここで該勾配はα2ＭＴの反応速度の勾配に対応しており、そして、次に、  ｃ）α2ＭＴの反応速度の値を測定して、総反応速度の対応する値から差引き、そして、次に、  ｄ）飽和相の総反応速度の直線領域について測定した、遊離トロンビンの反応速度の値を平均化することによって、生のＥＴＰ値を測定する、時間の関数として、測定すべきトロンビン基質のターンオーバー速度を用いる、凝固する血液または血漿の検体の内因性トロンビン活性（ＥＴＰ）の測定。【選択図】  図１
2006162623.tif 000002
【特許請求の範囲】
【請求項１】
時間の関数として、測定すべきトロンビン基質の代謝速度を用いる、凝固する血液または血漿の検体の内因性トロンビン活性（ＥＴＰ）の測定方法であって、
ａ）総反応速度の飽和相の直線領域を、所定の試験特有の時間枠の範囲内で測定し、そして、次に、
ｂ）トロンビンのα2−マクログロブリンに対する結合定数Ｃを、飽和相の直線領域における総反応速度の勾配Ａを用いて反復測定し、ここで該勾配はα2ＭＴの反応速度の勾配に対応しており、そして、次に、
ｃ）α2ＭＴの反応速度の値を測定して、総反応速度の対応する値から差引き、そして、次に、
ｄ）飽和相の総反応速度の直線領域について測定した、遊離トロンビンの反応速度の値を平均化することによって、生のＥＴＰ値を測定する、
上記の測定方法。
【請求項２】
試験特有の時間枠が、飽和相の範囲内で少なくとも３個の測定点を含む、請求項１に記載の方法。
【請求項３】
測定した総反応速度の飽和相の直線領域を、回帰法を用いて測定する、請求項１または２に記載の方法。
【請求項４】
終結点が所定の試験特有の時間枠の終結点に対応し、および、開始点が所定の試験特有の時間枠の開始点か、または、所定の時間枠の範囲内で任意の測定点に対応している、それぞれの可能な時間枠について、ピアソン相関係数ｒの二乗値を作成する、請求項３に記載の方法。
【請求項５】
相関係数ｒiの二乗値の最大値を測定し、次いで、該最大値を有する時間枠を総反応速度の直線領域として選択する、請求項４に記載の方法。
【請求項６】
測定された直線領域が定義された最小幅より小さい場合、予め定義された最小幅の枠を直線領域として選択する、請求項５に記載の方法。
【請求項７】
飽和相の直線領域中での総反応速度の勾配Ａを、直線回帰を用いて計算する、請求項１に記載の方法。
【請求項８】
トロンビンのα2Ｍに対する結合定数Ｃの変動による、総反応速度の勾配Ａからのα2ＭＴの計算された勾配の変動を最小にするために、適合計算の方法を用いる、請求項７に記載の方法。
【請求項９】
最小二乗法を、適合計算の方法として用いる、請求項８に記載の方法。
【発明の詳細な説明】
【技術分野】
【０００１】
本発明は、血液または血漿検体の内因性トロンビン活性（ポテンシャル）を自動的に測定する方法に関する。
【背景技術】
【０００２】
止血は、異なった活性化因子、阻害因子、並びに、ポジテイブおよびネガテイブフィードバック機構の相互作用により制御されている。この構造的な組織機構の障害により、止血システムの平衡がくずされ、その結果、出血または血栓のいずれかが生じる可能性がある。
【０００３】
トロンビンは、セリンプロテアーゼの１つであって、血液凝固の中心的な酵素であり、その主要な機能は、フィブリンの多量体化の誘導と、かくして血栓を形成させることである。その必要が生じた場合、トロンビンの生成が、酵素的に不活性の前駆体分子であるプロトロンビンの活性化により開始される。損傷が生じた場合、この凝固プロセスを局所的および時間的に限定するために、この凝固反応は速やかに減速させられ、とりわけそれは、アンチトロンビンまたはα2−マクログロブリン（α2Ｍ）のような阻害因子と遊離トロンビンとの複合体形成によるものである。トロンビン生成または阻害の制御プロセスにおける障害は、過剰凝固または低凝固状態を生じさせ、その結果、凝固における病理的な障害をもたらす。それゆえに、トロンビンの生成および阻害を記録することは、特定の凝固状態に関する情報を提供する場合に、非常に価値がある。
【０００４】
検体中に内在する（内因性の）、酵素活性を有する遊離トロンビンを生成しまたは阻害する活性（ポテンシャル）（血漿検体の場合はその血漿中に内在する活性）は、内因性トロンビン活性（ＥＴＰ）とも呼ばれている。検査の材料中に存在し、そして、トロンビンの生成および阻害に影響を及ぼすことのできる、あらゆる生物学的な構成成分が、個々の検体のトロンビン活性を決定するので、このＥＴＰ測定は、止血システムの様々な構成成分を検出するために使用できる広範囲の試験として、および、治療措置を監視（モニタリング）するため、のいずれの使用にも適している。
【０００５】
内因性トロンビン活性（文献でも「内因性トロンビン活性」とよばれている）を定量的に測定するために好ましく用いられるパラメータは、時間／濃度積分またはトロンビン生成曲線下面積である［ＥＰ０４２０３３２−Ｂ１，ＥＰ０８０２９８６−Ｂ１およびＨｅｍｋｅｒ等（１９９３年）Ｔｈｒｏｍｂ．Ｈａｅｍｏｓｔａｓｉｓ  ７０：６１７−６２４参照］。このパラメータは、凝固する血液または血漿の検体中で、時間ｔ＝０から存在している、内在性トロンビンの量および活性の尺度である。
【０００６】
ＥＴＰを測定するために、凝固可能な血液または血漿の検体中の、トロンビン基質のターンオーバー速度（turnover kinetics）を、測定可能な指示物質の遊離により測定する。トロンビン基質濃度は、基質が反応の経過中に完全に消費されることがないように調整されており、遊離した指示物質の量は、理想的には、凝固反応の経過中に生成したトロンビンの酵素活性に比例する。
【０００７】
しかしながら、現在使用可能なトロンビン基質は分子量が８ｋＤ未満であり、生理的に重要な遊離トロンビンの活性に加えて、生理的に無関係のα2−マクログロブリン／トロンビン複合体（α2ＭＴ）の活性をも測定してしまう。時間の経過にしたがって遊離する指示物質の量を測定する場合は、遊離トロンビンの阻害が累進的で最終的には完結しているにもかかわらず、反応速度はプラトーに達することがなく、そのかわりに、さらに上昇し続けるという結果をもたらす。
【０００８】
測定された総反応速度を出発点とした時に、生理的に重要なトロンビン反応速度（thrombin kinetics）Ｔ（ｔ）を導き出すためには、知られているように、α2ＭＴ複合体の活性であるα2ＭＴ（ｔ）により表される部分を求め、これを総反応速度（total kinetics）Ｋ（ｔ）から差引く必要がある：
【数１】
2006162623.tif 000003
【０００９】
α2ＭＴ複合体の量は、遊離トロンビンの量に直接依存する。遊離トロンビンは、まず最初に、酵素的に不活性な前駆体分子プロトロンビンから生成され、次にこの遊離トロンビンは速やかにα2−マクログロブリンと結合し、その結果、比較的安定なα2ＭＴ複合体が生成される。それゆえに、α2ＭＴ複合体の濃度は、反応の経過中、トロンビン濃度に比例して変化してくために、このトロンビン反応速度Ｔ（ｔ）とα2ＭＴ複合体の反応速度α2ＭＴ（ｔ）との間の数学的関係は、微分方程式として記載されている［Ｈｅｍｋｅｒ等（１９９３年）Ｔｈｒｏｍｂ．Ｈａｅｍｏｓｔａｓｉｓ  ７０：６１７−６２４］：
【数２】
2006162623.tif 000004
［式中、
∂ は、偏導関数、
α2ＭＴ（ｔ）は、時間ｔにおけるα2−マクログロブリン／トロンビン複合体の濃度、
Ｔ（ｔ）は、時間ｔにおけるトロンビンの濃度、および
Ｃは、トロンビンのα2Ｍに対する結合定数。］
【００１０】
内因性トロンビン活性または遊離トロンビン濃度を測定するための、これまで知られていた評価方法［Ｈｅｍｋｅｒ等（１９９３年）Ｔｈｒｏｍｂ．Ｈａｅｍｏｓｔａｓｉｓ  ７０：６１７−６２４：ＷＯ２００４／０１６８０７−Ａ１］は、この微分方程式（２）を解くための非常に複雑な手順を記載している。この公知方法は、最初に、総反応速度の一次導関数を作成して、α2−マクログロブリン／トロンビン複合体の反応速度を決定する。この分析方法の帰結として必要とされる平均化の結果、合計した場合に不正確が生じる可能性がある。複雑な最適化方法、例えば、「Ｍｉｃｒｏｓｏｆｔ ＥＸＣＥＬ  Ｓｏｌｖｅｒ」ソフトウエアプログラムからの修正ニュートン法、がトロンビンのα2マクログロブリンに対する結合定数Ｃを決定するために指示されているが、その仕様書の大部分はユーザーに知らされておらず、また、いずれにしても、必ずしも結果が得られるわけではない。さらに、反応基質の量に基づき遊離トロンビン量に関する結論を得るようにするためには、多くの酵素−反応速度的パラメータ、例えば、特定の基質のミカエリス定数が考慮される。これらの基質特異的パラメータは、文献から知るか、または、予備実験において、使用する基質に関して測定するか、いずれかでなければならない。
【００１１】
凝固の研究室で用いられる分析機器を用いて、内因性トロンビン活性を測定するための従来からの公知方法を実施することは、該従来公知方法が、複雑で、相対的に長い計算時間により大量のデータ保存容量を必要とする場合には、制限される。容量の理由により、長い操作時間は、多くの処理量をこなさなければならない診断検査室の場合に、特に不利である。
【発明の開示】
【発明が解決しようとする課題】
【００１２】
したがって、本発明は、凝固診断で常用される分析機器を用いて、内因性トロンビン活性が迅速および確実に測定できる、簡略化された方法を利用可能にするという目的に基づいている。
【課題を解決するための手段】
【００１３】
この目的は、請求項に記載された本発明の方法および主題を提供することにより達成される。
【００１４】
検体の内因性トロンビン活性（ＥＴＰ）を測定するための本発明は、以下の工程を含んでいる：
１．当業者に周知の、時間の関数としてのトロンビン基質のターンオーバー速度の測定、および
２．本発明による、定量されるべき検体の内因性トロンビン活性の定量を可能にする、生のＥＴＰ値の測定。
【００１５】
内因性トロンビン活性の測定に必要な、トロンビン基質のターンオーバー速度の測定には、検査すべき検体をトロンビン基質で処理すること、トロンビン生成を誘導すること（例えばトロンビン生成活性化物質を添加により）、および、変換されたトロンビン基質の物理化学的性質を時間の関数として測定すること、が要求される。
【００１６】
ヒトまたは動物由来の、血液または血漿は、例えば、検体の材料として使用するために好適である。ＥＤＴＡおよび／またはクエン酸塩で処理できる血小板が乏しいまたは血小板が富んだ血漿が、特に、この目的のためには好適である。
【００１７】
適切なトロンビン基質は、例えば、トロンビンにより認識される特異的な配列を含む部分、および、測定可能な物理的特性を有する脱離シグナル基を包含するオリゴペプチドである。この脱離シグナル基は、脱離した後に物理的特性の好ましい変化を示し、その性質が測定可能な、発色性、化学発光性または蛍光性の基であっていい。好ましいのは、その光学的性質が光で測定される発色性のシグナル基であり、その例として、パラニトロアニリド（ｐＮＡ）が挙げられ、その吸光度は、トロンビンにより開裂を受けた後、４０５ｎｍの波長で測定できる。本発明の実施に適切な合成トロンビン基質の例は、例えば、ＥＰ０８０２９８６−Ｂ１の特許明細書の請求項１〜５に記載されている。
【００１８】
トロンビン基質の濃度は、遊離する指示物質の量が、凝固反応の経過中に生成した、遊離型およびα2−マクログロブリン複合型のトロンビンの酵素活性に比例することを確実にするために、反応の過程中にその基質が完全に消費し切らないように調整されなければならない［Ｈｅｍｋｅｒ等（１９９３年）Ｔｈｒｏｍｂ．Ｈａｅｍｏｓｔａｓｉｓ  ７０：６１７−６２４を参照］。
【００１９】
妨害するフィブリン塊の生成を防ぐために、例えば、バトロキソビンのような蛇毒を添加するか、加熱するか、もしくは、沈殿法もしくは免疫アフィニティクロマトグラフィー法のような公知の方法により、検体を予め脱フィブリン化しておくことができるし、または、この検体をフィブリン重合化反応の阻害物質を用いて処理することもできる。検体中に存在するトロンビンを阻害することがなく、フィブリン重合化反応を阻害ために適したペプチドは、例えば、ＥＰ０４５６１５２−Ｂ１の特許明細書の請求項１および２の主題である。
【００２０】
トロンビン生成を誘導するために、例えば、Ｃａ2+イオンを含み、さらに、例えば、トロンボプラスチン、または、カオリン、リン脂質、蛇毒もしくはトロンボモジュリンのような接触性活性化物質、および、活性化プロテインＣを含有する溶液を使用することができる。それぞれの場合、当業者は、問われている診断上の問題に準じて、その凝固系の一つの構成部分、またはその全体のいずれかを考慮するために、多数の知られた血液凝固活性化物質から選択することができる（ＥＰ０４２０３３２−Ｂ１を参照）。
【００２１】
変換したトロンビン基質の物理的特性は、好ましくはトロンビン生成活性化物質の添加の時点から始まって測定され、その時間間隔は好ましくは１０秒当り１〜２５回の測定である。時間順に割り当てられた測定値は、トロンビン基質のターンオーバー速度、または、総反応速度を記述する（図１〜３の曲線Ａも参照）。総反応曲線の勾配は、トロンビン基質が開裂する、または、シグナル基（指示物質）が遊離する反応速度の尺度である。
【００２２】
時間の経過に渡って遊離する指示物質の量を測定することにより、典型的な総反応曲線が得られ、この曲線は目視検査により３つの相に大まかに分けられる：
ａ）誘導相（lag phase）と名づけられた、第一相は、トロンビン生成活性化物質の添加をした時点ｔ0に始まり、遅い反応速度を示すゆるやかな曲線で特徴付けられる。ここは、トロンビン生成が進行状態にある反応部分である。試験設計の如何によって、この誘導相は０〜３０分間続く可能性がある。
ｂ）指数相（exponential phase）と名づけられた、第二相は、誘導相の後に続き、速い反応速度を示す急勾配の上昇曲線で特徴付けられる。この相は、トロンビン生成速度が最大に達した反応部分を含み、そして、結局のところ、トロンビンの阻害速度もまた最大である。この相では、トロンビン基質は、遊離トロンビン、および、α2−マクログロブリン／トロンビン複合体（α2ＭＴ）の活性の両方により変換される。この相は遊離トロンビンがもはや存在しなくなる時まで継続する。
ｃ）飽和相(saturation phase)と名づけられた、第三相は、継続して上昇するが指数相に比べればよりゆるやかな曲線で特徴付けられる。この相は、トロンビン基質の変換がもっぱらα2−マクログロブリン／トロンビン複合体（α2ＭＴ）の活性に起因している反応部分を含んでいる。この相は、総反応速度が継続的に直線的に上昇していく経過が予想されるように、反応速度または単位時間当たり遊離される指示物質の量が一定のままである、という事実により確認できる。
【００２３】
トロンビンを生成および阻害するために、検体中の内因的活性に依存することに加えて、反応曲線の進み方、または、３つの異なった反応相の持続時間は、選択された試験に特有の反応条件にも依存する。そうした反応条件で、当業者が診断上の問題に応じて変更することができ、および、変換速度への効果を有する可能性のある例は、使用するトロンビン生成活性化物質の性質および濃度、または、検体材料の前処理の性質および方法である。それぞれの場合に、試験設計の如何に応じて、このようにして、一測定の間に、全ての３つの反応相で十分な評価をするような測定時間に合わせられるように、総反応時間を、日常的な予備実験によって実験的に決めなければならない。実施例および図１〜３から明らかなように、２０分間の総反応時間が、実施例として本願で記載されている、内因性トロンビン活性の測定のためには適切である。
【００２４】
測定は、測定試験中の遊離トロンビンの生成および阻害が完了し、そして、トロンビン基質の測定されるターンオーバー速度が、もっぱらα2−マクログロブリン／トロンビン複合体（α2ＭＴ）の活性に起因するのみとなる時点まで継続される。特に好ましい測定時間は、トロンビン基質の変換が、α2−マクログロブリン／トロンビン複合体（α2ＭＴ）の活性のみに起因する反応相、即ち、飽和相が、生のＥＴＰ値を確実に測定することができるように十分に長い時間継続している、という事実によって特徴付けられる。
【００２５】
本発明の方法において、総反応速度の飽和相の直線領域は、最初に、所定の試験特有の時間枠の中で測定される。
【００２６】
開始点がｔminとも名づけられ、および、その後の終結点がｔendとも名づけられている、この時間枠は、誘導相の経過の間に生じる可能性のある総反応速度の直線領域をこの分析から除外するために、誘導相を確実に除外するように定めるべきである。
【００２７】
開始点ｔminは、時間的に誘導相の下流に位置するように定められるべきである。開始点ｔminは、好ましくは、指数相の終結点、または、指数相から飽和相への移行領域に位置している（図１も参照する）。
【００２８】
次に、終結点ｔendは、飽和相の中に位置するように、そして、結果として得られる時間枠ｔmin〜ｔendが、飽和相の中で少なくとも３個の測定点を包含するように定められるべきである。
【００２９】
時間枠の位置および大きさは、好ましくは、この時間枠が、飽和相の中に３個より多い測定点を包含できるように、特に好ましくは４〜５００個の測定点、より特に好ましくは１００〜３００個の測定点を包含するように定められる。
【００３０】
その範囲内で直線領域が測定されるこの時間枠は、選択された反応条件に依存して定められる試験特有のパラメータである。このために、当業者は、多くの日常的な予備実験における一定の反応条件の下で、典型的な反応曲線のコースを決定することができる。異なった内因性トロンビン活性（略してＥＴＰ）を示すことが知られている検体は、試験特有の時間枠を予め決定していた場合、反応相の経過時間の変更可能性を確実に評価できるように、そうした予備実験において有利に使用される。このようにして、当業者は、未知の検体を分析する場合に、開始点ｔminを常に誘導相の時間的な下流に位置させ、そして、終結点ｔendが、時間枠を飽和相の中で少なくとも３個の測定点を包含するように定めることが保証されるように、時間枠を設定することができる。
【００３１】
所定の時間枠内の直線領域は、好ましくは回帰法を用いて決定される。
【００３２】
回帰法の特定の好ましい実施態様において、ピアソン相関係数ｒの二乗：
【数３】
2006162623.tif 000005
（式中、
ｎは、時間枠の中の測定点の数、
ｉは、数値カウンター変数（numeric counter variable）
ｔiは、測定する反応速度の時間値を含む級数、および
Ｋiは、測定する反応速度の測定値を含む級数）
が、その終結点がｔendに対応し、および、その開始点がｔmin、または、所定の時間枠ｔmin〜ｔendの範囲内の任意の測定点に対応している、それぞれの可能な時間枠について作成される。
【００３３】
ピアソン相関係数の二乗ｒ2は、所与の測定値の範囲または時間枠の中での反応曲線の直線性の尺度である。ｒ2は、０〜１の範囲の値をとることができる。その値が高いほど、直線性は優れている。このようにして計算された、ピアソン相関係数ｒiの二乗の最大値が測定され、この最大値を有する時間枠が、最良の直線的経過を有する領域または反応相として選択される。もしいくつかの時間枠が同じ最大値を示した場合は、その枠が最も大きいものが選択される。
【００３４】
他の好ましい実施態様において、直線領域の必要最小の大きさを定めることができる。当業者は、内因性トロンビン活性の特に信頼できる測定を確実にするために、最終的に内因性トロンビン活性を測定する基礎として使用される直線領域が、測定点の定められた最小数、すなわち、定められた最小サイズより小さくならないように定めることができる。生のＥＴＰ値を測定するために使用される、この直線領域の最小サイズは、反応曲線のコース、または、直線領域内の測定値の分散、に応じて作成されなければならないので、当業者は、信頼できる生のＥＴＰ値の測定のための適切な統計上の確実性さがあるように選択された、試験特有の反応条件の最小範囲を定めなければならない。もし、最良の直線的コースを有する時間枠が所定の最小サイズを充たさなかった場合、次に、例えば、その後の分析に関して、正確に測定点の定められた最小数を含み、および、その終結点がｔendに対応している領域を用いることが可能である。このやり方の利点は、例えば、個々の測定値が著しくずれている（「異常値である」）反応速度であっても、完全に捨てさる必要はなく、なおまだ解析ができることである。このようにして測定された生のＥＴＰ値は、ユーザーが、例えば、目視検査により反応曲線を評価できるような、適切なコメントとともに発行することができる。
【００３５】
本発明の方法のさらなる様相は、トロンビンのα2−マクログロブリンに対する結合定数Ｃが、α2ＭＴ反応速度の勾配に対応する、飽和相の直線領域における総反応速度の勾配Ａを用いて、反復して測定されることである。
【００３６】
この方法論的手段は、飽和相におけるトロンビン基質の変換が、もっぱらα2ＭＴ複合体の酵素活性のみに起因するという事実を基にしている。トロンビン基質が開裂される反応速度、すなわち、単位時間に遊離される指示物質の量は、総反応曲線の勾配に相関する。α2ＭＴ複合体の濃度は、飽和相において一定のままであるために、同じ量のトロンビン基質が単位時間当たりに開裂され、その結果、総反応曲線が直線的に増加していく。したがって、飽和相における総反応速度Ｋ（ｔ）の直線領域の勾配Ａは、α2ＭＴ反応速度α2ＭＴ（ｔ）の勾配と同等とみることができる。
【００３７】
微分方程式（２）を考慮に入れて、
【数４】
2006162623.tif 000006
以下のようになる：
【数５】
2006162623.tif 000007
【００３８】
総反応速度Ｋ（ｔ）の勾配Ａは、好ましくは直線回帰を用いて計算できる：
【数６】
2006162623.tif 000008
（式中、
ｎは、飽和相の直線領域における測定点の数、
ｉは、数値カウンター変数
ｔiは、飽和相の直線領域における時間値を含む級数、および
Ｋiは、飽和相の直線領域における測定された総反応速度の測定値を含む級数）。
【００３９】
式（４）に従って、Ｃ・Ｔ（ｔ）がＡと等しいことから、厳密に言って、直線領域において以下のようにされるべきである：
【数７】
2006162623.tif 000009
【００４０】
しかしながら、理想的な直線を形成しないような誤りを含んだトロンビン反応速度値Ｔ（ｔi）の級数を扱うために、この要件は充たされない。
【００４１】
この理由により、Ｃ・Ｔ（ｔi）とＡとを一致させる代わりに、式（４）によりＣ・Ｔ（ｔi）と一致している、Ｃを変換して勾配Ａから、計算されたα2ＭＴの計算された勾配の偏差を最小化するための、補償計算方法を用いることが有利である。最小二乗法（最適最小二乗法ともよばれる）の使用は、特に、この目的のためには有利である。
【００４２】
したがって、最小二乗法によれば、以下の式が成り立つことが必要とされる：
【数８】
2006162623.tif 000010
（式中、
ｔi＝Ｔ（ｔi）は、時間ｔiでのトロンビン反応速度値、
ｉｓｔａｒｔは、直線領域の開始の指標、
ｉｅｎｄは、直線領域の終結の指標である）。
【００４３】
この要件を充たす必要条件は、Ｃに関する導関数がゼロになることである。Ｃはそれゆえに以下のように決められる：
【数９】
2006162623.tif 000011
【００４４】
以下のものは、Ｃに関する式を解いて求められる：
【数１０】
2006162623.tif 000012
【００４５】
式（１３）のために、代わりに定数Ｃの関数であるトロンビン反応速度Ｔに、定数Ｃの値が依存しているために、定数Ｃは式（２）へ迂回するフイードバックを有し、そのためにＣは、それぞれの場合に以下の式に従う、次の反復工程の開始値として、反復工程の結果を使うことにより、反復的に測定される：
【数１１】
2006162623.tif 000013
（式中、
Ｃ0＝０、および
ｉは、トロンビン反応速度値Ｔ（ｔi）に関する数値指標、
ｊは、反復に関する数値指標である）。
【００４６】
終止の判定基準は、反復を終結させるために定義される。この終止判定基準は、当業者により、計算されたトロンビン反応速度がもはや有意に変化しない時間を調べることによって、多くの日常的な予備実験で選択された、反応条件の関数として、試験に特有となるように定められる。この終止判定基準は、好ましくは、偏差｜Ｃj−Ｃj+1｜が所定の最大値εより大きな値である場合に、ＣjがＣj+1と等しくなるように置かれ、式（１３）が再度、偏差｜Ｃj−Ｃj+1｜がもはやεを超えなくなるまで新しいＣjを用いて計算されるように、定められる。
【００４７】
他の本発明の様相は、α2ＭＴ反応速度の値α2ＭＴ（ｔ）が測定されることである。このα2ＭＴ反応速度の値α2ＭＴ（ｔ）は、本願で、測定されたＣ結合定数を用いて、それぞれの時点に関して測定することができる。これに関して、微分方程式（２）が式（１）を考慮して、数値的に解かれ、以下のようになる：
【数１２】
2006162623.tif 000014
【００４８】
次に、式（１１）は、有限差分（階差）として公式化される｛これに関しては、Fritsch, Herbert: Finite-Differeneze-Methoden [Method of finite differences]. IRB Verlag Stuttgart, 1998 (ISBN 3816712797)、または、Marshal, Dietrich: Finite Differenzen und Elemente. Numerische Loesung von Variationsproblemen und partiellen Differentialgleichungen [Finite differences and elements. Numeric solution of variation problems and partial differential equations]. Springer-Verlag Berlin Heidelberg, 1989 (ISBN 3540501924)、も参照されたい。｝：
【数１３】
2006162623.tif 000015
【００４９】
この式から、α2ＭＴ反応速度の値に関する時間級数が、次に求められる：
【数１４】
2006162623.tif 000016
（式中、α2ＭＴ0＝０。）
【００５０】
式（１０）で算出されたＣ結合定数、測定されたＫ反応速度値および対応する時間値ｔを用いて、α2ＭＴ反応速度値α2ＭＴ（ｔ）を、式（１３）を用いてそれぞれの時間に関して測定できる。
【００５１】
本発明の方法のさらなる様相は、α2ＭＴ反応速度の値が、対応する総反応速度の値から差引かれることである。時点ｉ＋１におけるトロンビン反応速度Ｔ（ｔ）を測定するために、時点ｉ＋１で測定した総反応速度値Ｋ（ｔ）と、前の時点ｉで測定したα2ＭＴ反応速度値α2ＭＴ（ｔ）との差分を求める：
【数１５】
2006162623.tif 000017
【００５２】
本発明の方法のさらなる様相は、飽和相の直線領域中での遊離トロンビンの反応速度Ｔ（ｔ）について測定した値の平均値を求めることである。
【００５３】
総反応速度の飽和相の直線領域中で、トロンビン反応速度Ｔ（ｔ）は時間軸に対して実質的に平行に伸びて、すなわち、計算されたトロンビン値は結果としてほとんど一定となるはずである。総反応速度の飽和相の直線領域中（ｉｓｔａｒｔからｉｅｎｄ）で測定された遊離トロンビンＴ（ｔ）の反応速度値の平均は、生のＥＴＰ値（Ｅｔｐｒ）ともよばれる：
【数１６】
2006162623.tif 000018
【００５４】
三番目の実施態様において、統計的手法を、好ましくは、平均化のために用いられた遊離トロンビンの反応速度値の変動係数ＣＶを求めることで、測定された生ＥＴＰ値の品質を検定するために、用いることができる：
【数１７】
2006162623.tif 000019
【００５５】
本発明の方法を用いて測定された検体の生のＥＴＰ値は、変換されたトロンビン基質の物理的特性、例えば光学的密度、［ｍＵ］で表す吸収度等の単位を有する。
【００５６】
好ましい実施態様において、患者または患者検体の凝固状態は、正常標準検体の生のＥＴＰ値と比較することで定めることができる。適切な正常標準検体の例は、健常人被験者より得られた血液検体または血漿検体のプールである。正常標準生ＥＴＰ値より高い生のＥＴＰ値は血栓性素因を示す。正常標準生ＥＴＰ値より低い生のＥＴＰ値は出血性素因を示す。さらに、検体の生ＥＴＰ値と、トロンビンまたはプロトロンビンの濃度が知られた検体の生ＥＴＰ値とを比較することで、検体中で生成したトロンビンの定量が可能になる。
【００５７】
本発明はさらに、内因性トロンビン活性を測定するための本発明の方法が実行される機器に関し、およびこの機器は、本発明の方法を使って、操作者の命令に従って記録された測定値を自動的に分析することができる。この関連により、この機器は、電子的データ処理のためのユニットに加えて、さらに、検体を操作する装置、および、検体または試験方法の物理的特性を測定するための試薬および／または装置も装備できる、自動型凝固分析機のような機器であってもいい。
【００５８】
本発明はまた、本発明の方法がコンピュータープログラムの形態で保存される貯蔵媒体にも関する。固定型デスクの他に、こうした媒体には、デスケット、ＣＤおよびＤＶＤのような交換可能な担体をも含まれている。
【００５９】
以下に記載する実施例は、本発明の方法を説明するためのものであり、限定するものとして理解されるべきではない。
【００６０】
実施例
血漿検体の生ＥＴＰ値の自動測定
ＥＰ０４２０３３２−Ｂ１に記載されたような、発色試験法をヒト血漿検体の生ＥＴＰ値を測定するために用いた。
【００６１】
貧血小板血漿（ＰＰＰ）の１３５μＬを、緩衝液（５０ｍＭトリス−塩酸、ｐＨ７．４）の４０μＬ、ならびに、トロンビンにより特異的に開裂されるパラニトロアニリド（ｐＮＡ）−共役型オリゴペプチド（Ｐｅｆａｃｈｒｏｍｅ(R)ＴＧ；ペンタファーム社、スイス）、および、フィブリン重合化阻害剤（ペプチドアミド  Ｈ−Ｇｌｙ−Ｐｒｏ−Ａｒｇ−Ｐｒｏ−Ａｌａ−ＮＨ2；  ＥＰ０４５６１５２−Ｂ１を参照されたい）を含む溶液の４０μＬとを混合した。７分間のインキュベーションの後、ＣａＣｌ2（２５０ｍＭ）の１５μＬ、および、Ｉｎｎｏｖｉｎ(R)（組換えヒト組織因子および合成リン脂質の混合物から構成された試薬；  デードベーリング・マールブルグ社、ドイツ）の３０μＬを、トロンビン生成活性化剤として、混合液の中に加え、そして、４０５ｎｍの波長で吸光度測定を開始した。この吸光度は、一秒間で１〜２回の測定となる時間間隔で、２０分間に渡って測定された。測定値は、時間順で連続的に記録された。このようにして測定された総反応速度は、次に、本発明の方法を用いて、検体の生ＥＴＰ値を測定するために使用された。選択された試験特有の条件としては、開始点Ｔmin＝６５０秒および終結点ｔend＝１０７８秒を有する時間枠が、総反応速度の飽和相の直線領域を測定するために予め定められた。
【００６２】
検体と試薬とを混合すること、吸光度の測定、および、生ＥＴＰ値の自動測定は、本発明の方法をソフトウエアの形態で実行するＢＣＲ(R)凝固分析機（デードベーリング・マールブルグ社、ドイツ）上で、自動的な方法により行われた。
【００６３】
正常標準検体（図１）および２つの病気の患者検体（図２および３）は、このようにして調べられた。
【００６４】
図１、２および３は、それぞれ、本発明の方法を用いて測定された、総反応速度Ｋ（ｔ）（曲線Ａ）、すなわち、時間［ｔ］に従って測定された吸光度［ｍＵ］、ならびに、α2ＭＴ−マクログロブリン／トロンビン複合体の反応速度α2ＭＴ（ｔ）（曲線Ｃ）、および、遊離トロンビンの反応速度Ｔ（ｔ）（曲線Ｂ）に関するグラフを示している。
図１：本発明の方法を用いて測定された、正常血漿検体の、総反応速度（Ａ）、ならびに、α2ＭＴおよびトロンビンの反応速度のグラフによる表示。説明のために、総反応曲線（Ａ）の３つの反応相のおおよその経過時間を書き込んだ（Ｉは誘導相、ＩＩは指数相およびＩＩＩは飽和相を意味している）。さらに、本願で用いた、ｔmin＝６５０秒からｔend＝１０７８秒で、最良の直線性を有する総反応速度Ｋ（ｔ）の領域が求められた、試験特有の時間枠を書き入れた（点線）。総反応速度の直線領域（破線）は、点ｉstart＝６７２秒およびｉend＝ｔend＝１０７８秒の間として決められた。この直線領域の範囲内で、測定されたトロンビン反応速度に関する曲線Ｂは、Ｘ軸に対してほぼ平行に伸びている。生のＥＴＰ値の３７８ｍＵは、生の値の測定に関して２．９％の変動係数を有し、この直線領域の時間枠内で測定されたトロンビン値を平均化することにより測定された。
図２：本発明の方法を用いて測定された、経口抗凝固剤を投与されている患者の血漿検体の、総反応速度（Ａ）、ならびに、α2ＭＴおよびトロンビンの反応速度のグラフによる表示。生のＥＴＰ値の１３６ｍＵは、正常血漿検体の生のＥＴＰ値と比較して著しく減少しており、これは患者が出血性凝固状態を有していることを示しており、総反応速度の直線領域で測定された、遊離トロンビンの反応速度の値を平均化することにより測定された。生の値の測定に関する変動係数は２．３％である。
図３：本発明の方法を用いて測定された、病理的な血漿検体の、総反応速度（Ａ）、ならびに、α2ＭＴおよびトロンビンの反応速度のグラフによる表示。生のＥＴＰ値の１０３４ｍＵは、正常血漿検体の生のＥＴＰ値と比較して著しく上昇しており、これは患者が血栓性凝固状態を有していることを示しており、総反応速度の直線領域で測定された、遊離トロンビンの反応速度の値を平均化することにより測定された。生の値の測定に関する変動係数は０．７％である。
【図面の簡単な説明】
【００６５】
【図１】本発明の方法を用いて測定された、正常血漿検体の、総反応速度（Ａ）、ならびに、α2ＭＴおよびトロンビンの反応速度をグラフにより表示する。
【図２】本発明の方法を用いて測定された、経口抗凝固剤を投与されている患者の血漿検体の、総反応速度（Ａ）、ならびに、α2ＭＴおよびトロンビンの反応速度をグラフによる表示する。
【図３】本発明の方法を用いて測定された、病理的な血漿検体の、総反応速度（Ａ）、ならびに、α2ＭＴおよびトロンビンの反応速度をグラフにより表示する。
【図１】
2006162623.tif 000020
【図２】
2006162623.tif 000021
【図３】
2006162623.tif 000022